(57)【特許請求の範囲】
【請求項１】
誘電体材料の気密包囲体内に収容されたカソード及びグリッドを含む電子銃と；上記包囲体の外部にあって、高周波信号の印加によりカソードとグリッドとの間に変調電界を生じるよう構成された共振入力空洞と；該空洞からの高周波エネルギーの漏れを減少するように構成されたチョーク手段であって、金属の同延部分より成り、その間に上記包囲体の一部分が配置されるチョーク手段とを備えたことを特徴とする線型電子ビーム管構成体。
【請求項２】
上記空洞は実質的に環状であって、上記包囲体の周りに同軸的に配置される請求項１に記載の構成体。
【請求項３】
上記金属部分の一方は、空洞の壁に接続されたメタルプレートである請求項１又は２に記載の構成体。
【請求項４】
上記金属部分の少なくとも一方は、上記包囲体に付着された金属化層より成る請求項１ないし３のいずれかに記載の構成体。
【請求項５】
上記包囲体内の金属部分は、電子銃の部品の支持体の一部分である請求項１ないし４のいずれかに記載の構成体。
【請求項６】
上記チョーク手段は、２対の金属同延部分を備え、その一方の対は他方の対から長手方向に離間されている請求項１ないし５のいずれかに記載の構成体。
【請求項７】
入力空洞は、共振周波数を調整するように位置を調整できるチューニング部材を含み、該チューニング部材は、共振周波数の波長の約１／４だけグリッドから離間される請求項１ないし６のいずれかに記載の構成体。
【発明の詳細な説明】
【０００１】
【産業上の利用分野】
本発明は、線型電子ビーム管構成体に係り、より詳細には、誘導出力四極管に係る。
【０００２】
【従来の技術】
誘導出力四極管は、高周波の入力信号が共振入力空洞を経て電子銃のカソードとグリッドとの間の領域に印加される構成体である。これは、電子銃により発生される電子ビームの変調を形成する。これにより密度変調されたビームは、出力共振空洞と相互作用するように向けられ、該空洞から増幅された高周波出力信号が抽出される。
【０００３】
【発明が解決しようとする課題】
本発明は、改良された線型電子ビーム管構成体を提供する。
【０００４】
【課題を解決するための手段】
本発明によれば、誘電体材料の気密包囲体内に収容されたカソード及びグリッドを含む電子銃と；上記包囲体の外部にあって、高周波信号の印加によりカソードとグリッドとの間に変調電界を生じるよう構成された共振入力空洞と；該空洞からの高周波エネルギーの漏れを減少するように構成されたチョーク手段であって、金属の同延部分より成り、その間に上記包囲体の一部分が配置されるチョーク手段とを備えた線型電子ビーム管構成体が提供される。上記同延部分は、実質的に同じ長さであってもよいし、その一方の部分が、その同延である部分よりも長手方向の全長が大きくてもよい。
【０００５】
本発明を用いることにより、包囲体の材料それ自体がチョーク手段の一部分を形成し、全体的な直径が比較的小さなものとなるので、特にコンパクトな構成が可能となる。従って、完全に個別のチョーク部品及びそれらを受け入れるために必要とされる付加的な体積を必要とせずに、高周波エネルギーのロスが減少される。本発明による管構成体の直径減少は、構成体の取り扱い及び設置を容易にするので効果的である。
【０００６】
共振空洞のチューニングは、一般に、空洞内に可動のチューニング部材を含ませ、これを共振周波数の１／４波長の奇数分だけカソード−グリッド領域から離間することによって行われる。チューニング部材は、通常、１／４波長３つ分、又は１／４波長５つ分の距離に配置される。包囲体の上記減少された直径は、可動のチューニング部材をカソード−グリッド領域から共振周波数の波長の１／４のところに配置することにより空洞の共振周波数のチューニングを行えるという利点も有する。従って、公知構成体に比して、包囲体の直径が減少されるだけでなく、入力共振空洞もよりコンパクトなものとされる。
【０００７】
包囲体は、セラミック材料であるのが好ましい。この材料は、その間に数十キロボルトを掛けることができ、それ故、チョーク手段に用いるのに適しており、気密包囲体を形成する。
【０００８】
チョーク手段を構成する金属性部分は、メタルプレートであって、電子銃の他の部品の支持体又は取付部として働くか、或いは入力空洞を配置及び支持する。或いは又、１つ以上の金属性部分が、包囲体に付着された金属化層で構成されてもよい。このような層は、動作周波数の表皮深さの数倍程度の厚みがあるだけでよく、構成体の製造中に正確に付着することができる。
【０００９】
チョーク手段は、２対の金属性同延部分を備えているのが好ましく、その一方の対は空洞の一方の壁に隣接されそして他方の対は別の壁に隣接される。
【００１０】
【実施例】
以下、添付図面を参照し、本発明の実施例を詳細に説明する。図１には、誘導出力四極管の一部分が、実質的に円筒対称である長手軸Ｘ−Ｘに沿って半断面で示されている。これは、円筒状のセラミック包囲体（管）１を備え、その中に収容された電子銃は、長手方向に離間されたカソード２、グリッド３及び収束アノード４を備えている。包囲体１は、エンドプレート５にシールされ、このエンドプレートを通して電気的接続部６が電子銃の要素へと延びており、包囲体１及びエンドプレート５によって画成される容積部は真空にされる。
【００１１】
実質的に環状である入力共振空洞７は、包囲体１の外側に同軸的に配置され、そしてこの空洞に高周波エネルギーを加えたときに、カソード−グリッド領域に変調電界が発生されるように電子銃に対して配置される。これは、電子銃によって発生された電子ビームの密度変調を生じさせる。この空洞７は、空洞７の共振周波数を調整するように長手方向に移動可能なチュウーニング部材８を備えている。
【００１２】
空洞７を画成する一方の壁９は、長手軸に対して横に延びる環状プレートである。この壁９は、包囲体１の外面に固定された金属円筒１０と一体的である。カソード２は、支持部材１１によって位置保持され、この支持部材に含まれる円筒状部分１２は、包囲体１の内面に固定され、そして長手方向に円筒１０と同延である。円筒１０、支持部材の部分１２、及び包囲体１の介在する誘電体材料は、高周波エネルギーに対してチョークを形成する。
【００１３】
空洞７は、更に、別の壁１３によって画成され、この壁も、長手方向に対して横に延びる環状プレートであって、第１壁９よりもアノード４に接近して配置される。壁１３は、包囲体１の外面に固定された金属円筒１４と一体的である。グリッド３は、円筒状の取付部１５によって包囲体１内に支持され、この取付部１５の外面は、包囲体１の内面に隣接し、長手方向に円筒１４と同延である。これらの金属部分１４及び１５は、それらの間に配置された包囲体の誘電体材料と共に、別の高周波チョークを形成する。
【００１４】
この構成においては、チューニング部材８からグリッド−カソード領域までの距離は、共振周波数の波長の約１／４である。
【００１５】
図２は、出力空洞１６を含む誘導出力四極管の他部分を示している。包囲体１は、長手方向に沿って均一の壁厚みを有するものとして示されているが、他の構成では、異なる厚みを呈するように段状にすることができる。組み立て中に不当な損傷を生じたりその内面に傷を生じたりすることなく、包囲体内に部品を取り付けることができる。
【００１６】
図３に示す別の構成においては、同延の金属性部材の一方が、包囲体表面に付着された金属化層１７に置き換えられている。この特定の実施例では、カソード支持体の部分によって構成された金属部分１８は、包囲体１の外面の対応部分１０よりも長くなっている。
【図面の簡単な説明】
【図１】本発明による電子ビーム管構成体の長手断面概略図である。
【図２】図１の構成体を詳細に示す図である。
【図３】本発明による別の構成体を示す部分図である。
【符号の説明】
１  円筒状セラミック包囲体
２  カソード
３  グリッド
４  収束アノード
５  エンドプレート
７  入力共振空洞
８  チューニング部材
９  壁
１０、１４  金属円筒
１１  支持部材
１２  円筒部分
１３  別の壁
１５  円筒状取付部
１６  出力空洞
１７  金属化層
【図１】
0003614478.tif 000002
【図２】
0003614478.tif 000003
【図３】
0003614478.tif 000004